(57)【要約】      （修正有）【課題】複数のピペットチップを収納したピペット装置を持ち運ぶ場合であっても、その収納されたピペットチップ同士の接触を防止する保管装置を提供する。【解決手段】ピペットチップを保管するために開口部２１を有する保管装置本体２０と、ピペットチップの先端を挿通するための孔部３４を有する底部と前記ピペットチップの胴部を保持するための中空筒状の保持部３５とを有する保管部３０と、を具備し、前記保管部は、前記保管装置本体の開口部に配置したピペットチップ保管装置である。【選択図】図１
2018079938.tif 000002
【特許請求の範囲】
【請求項１】
ピペットチップを保管するために開口部を有する保管装置本体と、
ピペットチップの先端を挿通するための孔部を有する底部と前記ピペットチップの胴部を保持するための中空筒状の保持部とを有する保管部と、を具備し、
前記保管部は、前記保管装置本体の開口部に配置したピペットチップ保管装置。
【請求項２】
前記保管部に載置するための蓋部をさらに有する請求項１記載のピペットチップ保管装置。
【請求項３】
前記保持部を複数配置し、その複数配置した各保持部同士を連結する縦連結部をさらに有する請求項１または２記載のピペットチップ保管装置。
【請求項４】
前記保持部を複数配置し、その複数配置した各保持部同士を連結する横連結部をさらに有する請求項１から３いずれか１項記載のピペットチップ保管装置。
【発明の詳細な説明】
【技術分野】
【０００１】
本発明は、ピペットチップの保管装置に関するものである。
【背景技術】
【０００２】
ピペットチップの保管装置として、特表平８-５０３９１１号公報が開示され、ピペットチップの保存装置としてチップラックに関する発明が開示されている。これは、再使用可能なチップラック（１２）用の交換用のピペットチップ（２４）を配列するために、この、この補充パック（３５）は整理状態に配列されたピペットチップ（２４）を受入れる穴（２８）が配列された支持プレート（２２）を含む。また、補充パックはスカート状のガイド（２７）を有して、支持プレート（２２）をチップラック（１２）上に芯出ししてガイドするようになされることが好ましく、ピペットチップ（２４）の先端部（３０）はチップラック（１２）の整理トレー（２１）の対応する穴と整合されてその中に延入するというものである。
【０００３】
上記保管装置は、合成樹脂性のピペットチップを保管するためのものであり、ガラス製のピペットチップに対する保管装置ではない。従って、ガラス製のピペットチップをその保管装置に配置した場合に、隣り合うガラス製のピペットチップが互いに接触し破損する恐れがある。
【先行技術文献】
【特許文献】
【０００４】
【特許文献１】特表平８-５０３９１１号公報
【発明の概要】
【発明が解決しようとする課題】
【０００５】
本発明は前記の点に鑑みなされたもので、その課題は、複数のピペットチップを収納したまま持ち運ぶ場合であっても、その収納されたピペットチップ同士の接触を防止する保管装置を提供することを目的とする。
【課題を解決するための手段】
【０００６】
鋭意研究開発の結果前記の課題を解決するため、第１観点のピペットチップ保管装置は、ピペットチップを保管するために開口部を有する保管装置本体と、
ピペットチップの先端を挿通するための孔部を有する底部と、ピペットチップの胴部を保持するための中空筒状の保持部と、を有する保管部と、を具備し、保管部は、保管装置本体の開口部に配置したピペットチップ保管装置である。
【０００７】
第２観点のピペットチップ保管装置は、第１観点において、保管部に載置するための蓋部をさらに有するというものである。
【０００８】
第３観点のピペットチップ保管装置は、第１観点または第２観点において、保持部を複数配置し、複数配置した各保持部同士を連結するための縦連結部をさらに有するというものである。
【０００９】
第４観点のピペットチップ保管装置は、第１観点から第３観点において、保持部を複数配置し、複数配置した各保持部同士を連結するための横連結部をさらに有するというものである。
【発明の効果】
【００１０】
本発明は上記のように構成されかつ作用するものであるから、複数のピペットチップを収納したまま、持ち運ぶ場合であっても、その収納されたピペットチップ同士の接触を防止する保管装置を提供することができる。
【図面の簡単な説明】
【００１１】
【図１】ピペットチップ保管装置と蓋部との分解斜視図。
【図２】Ａは、保管部の平面図。Ｂは、保管部の側面図。Ｃは、保管部の底面図である。
【図３】Ａは、蓋部を配置したピペットチップ保管装置の平面図。Ｂは、ＡのＩＩＩＢ-ＩＩＩＢ線端面図である。
【図４】Ａはピペットチップ保管装置に複数のピペットチップを配置した状態の平面図。Ｂは、ＡのＩＶＢ-ＩＶＢ線端面図である。
【図５】Ａは、ピペットチップの正面図。Ｂは、ピペットチップの側面図である。
【図６】ピペット装置とピペットチップ保管装置の使用状態図である。
【図７】他の実施例のピペットチップ保管装置の分解斜視図である。
【図８】Ａは、他の実施例の保管部の平面図。Ｂは、他の実施例の保管部の側面図。Ｃは、他の実施例の保管部の底面図である。
【図９】Ａは、他の実施例のピペットチップ保管装置に複数のピペットチップを配置した状態の平面図。Ｂは、ＡのＩＸＢ-ＩＸＢ線端面図である。
【発明を実施するための形態】
【００１２】
本実施例のピペットチップ保管装置１０について説明する。第１の実施例におけるピペットチップ保管装置１０は、保管装置本体２０と、保管部３０とを具備するものである。保管装置本体２０は、後述するように、保管部３０にピペットチップ１００を配置して収納可能なように所定の容積を有するものである。また、さらに保管装置本体２０は、平面視矩形状を呈する開口部２１を有し、その下方にその開口部２１を取り囲むように壁部２２を有し。その壁部の下方に底部２３を有し、それら全体として箱状を呈する。また開口部２１の周辺に、その開口部２１を周回するように取り囲むように配置された縁部２４を有する。この縁部２４は、後述するように保管部３０を載置するためのものである。またこの縁部２４は、開口部２１から、水平に突出するように構成されている。なお、本実施例のピペットチップ保管装置１０の配置するピペットチップ１００はガラス製が好ましい。
【００１３】
保管部３０は、板状の平面視矩形状を呈する保管天井部３１を有している。また、保管天井部３１における上面３１ａの外周に後述する蓋体５０と嵌合するための、蓋体嵌合部３２ａを有する。この蓋体嵌合部３２ａは、上方に突出し、上面３１ａを取り囲むように壁状を呈している。また、蓋体嵌合部３２ａの外周に保管縁部３３を有する。保管縁部３３は、水平に突出するように構成され保管部３０を保管装置本体２０に載置する場合に、その保管装置本体２０に支持されるものである（図１、２参照）。
【００１４】
また、保管天井部３１の上面３１ａは、後述するピペットチップ１００を保持するために、孔部３４を複数有する。また、保管天井部３１の下面３１ｂから下方に延びるように、中空筒状の保持部３５を複数有する。さらに、その複数の各保持部３５の下方に底部３６を有し、その底部３６の中央には第２孔部３７を有する。なお、本実施例においては、孔部３４は、２０箇所配置されている。従って、保持部３５と底部３６と第２孔部３７についても同様であることはいうまでもない。もっともこの数に限られることはない（図２参照）。
【００１５】
上記保管天井部３１の上面３１ａに複数配置した各孔部３４と、保管天井部３１の下面３１ｂから下方に延びるように、複数配置した中空筒状の保持部３５における第２孔部３７は、それぞれ連通するように構成され、後述するピペットチップ１００を差し入れることができる（図１、２参照）。
【００１６】
また、複数の保持部３５同士を接続する縦連結部３８と横連結部３９とを、それぞれ複数有する。この縦連結部３８と横連結部３９とによって、いわば、各保持部３５同士は、縦方向及び横方向に、それぞれ十字状に連結されている。また、複数の保持部３５が、保管縦連結部３８と横連結部３９とによって、天井部３１の保管天井部３１の下面３１ｂに、一体に接続されている（図２参照）。
【００１７】
また、保管天井部３１の下面３１ｂの周辺に、保管装置本体２０と嵌合するための、保管装置本体嵌合部３２ｂを有する。保管装置本体嵌合部３２ｂと、上述の縦連結部３８と横連結部３９とは、連結され一体となっている。このように各保持部３５同士は、縦連結部３８と横連結部３９とによっていわば、各保持部３５同士を、縦方向及び横方向に、それぞれ十字状に連結され、この保管天井部３１と一体であるために、各保持部３５はぶれることなく複数の後述するピペットチップ１００を保持する。従って、その各保持部３５に配置したピペットチップ１００同士が接触する恐れは少ない。なお、本実施例において、縦連結部３８は、５箇所配置され、横連結部３９は、４箇所配置されている（図２Ｃ参照）。もっともこの数に限られることはない。
【００１８】
また、蓋部４０は、所定の容積を有し、平面視矩形状を呈する蓋開口部４１を有し、その上方にその蓋開口部４１を取り囲むように立設した側壁部４２とを有する。側壁部４２における蓋開口部４１の反対側に蓋上部４３を有し、それら全体として箱状を呈する。また蓋開口部４１の周辺に周回するように蓋縁部４４を有する。この蓋縁部４４は、上述の保管部３０に載置するためのものである。またこの蓋縁部４４は、蓋開口部４１から、水平に突出するように構成されている。
【００１９】
このような構成の本実施例のピペットチップ保管装置１０に、複数のピペットチップ１００を配置する。具体的には、ピペットチップ１００を孔部３４に挿入し、このピペットチップ１００の先端部１０１をさらに、第２孔部３７に挿通する。このようにピペットチップ１００を配置すると、そのピペットチップ１００を先端部１０１に接続される肩部１０２は、その底部３６に接し、ピペットチップ１００の胴部１０３は、保持部３５の内部に接することで保持される。このように、ピペットチップ１００は保持部３５に保持され配置することができる。本実施例においては上記のとおり孔部３４は、２０箇所配置されているので、ピペットチップ１００を２０本配置することができる（図４参照）。
【００２０】
複数のピペットチップ１００を保持部３５に載置し、この保持部３５を保管装置本体２０に配置する。この場合上述のとおり、保管天井部３１の下面３１ｂの周辺に、保管装置本体２０と嵌合するための、保管装置本体嵌合部３２ｂを有している。従って、その保管装置本体嵌合部３２ｂが、保管装置本体２０における開口部２１と嵌合し、縁部２４の上に、上記保管天井部３１における保管縁部３３が載置される。また、蓋部４０を、その保管装置本体２０に被せれば、上記保管縁部３３上に蓋縁部４４が、載置される。このように保管装置本体２０に、保管部３０を配置し、さらに蓋部４０を配置することで、保管部３０は、保管装置本体２０と蓋部４０とによって、挟まれるように配置される。よって、その保管部３０が、保管装置本体２０と蓋部４０とによって固定することができる（図４参照）。
【００２１】
このように、保持部３５にピペットチップ１００を配置した場合に、孔部３４から底部３６までの寸法を、ピペットチップ１００の後端部１０４が突出するように、設定することが好ましい。もっとも上述のとおり蓋部４０を被せるが、配置したピペットチップ１００の後端部１０４が、蓋上部４３に接しないように、中空筒状の保持部３５の長さを調整することができる。
【００２２】
次にピペット装置２００について簡単に説明する。使用者が押圧する押圧部２１０と、その押圧部２１０に接続されたピストンロッド部２２０と、ピストンロッド部２２０の一部を収納するケース部２３０と、ピストン部２４０と、そのピストン部２４０を内部に配置するためのピストン収納部２５０と、を有しており、さらに、ピッペットチップ１００は取り外し可能に配置することができる。ケース部２３０とピストン収納部２５０は一体である。また、押圧部２１０とピストンロッド部２２０と、ピストン収納部２５０と、ピストン部２４０とのそれぞれの中心は、同一線上に配置されている。このようなピペット装置２００について、使用者が押圧部２１０を押圧すると、液体をその先端に取り付けられたピペットチップ１００から吸引することができるというものである。ここでこのピペットチップ１００はガラス製が好ましく、交換容易のため、ピストン収納部２５０の先端に後述する取り付け部３００を取り付け、その取り付け部３００に、ピペットチップ１００を取り外し可能に配置することができる（図５参照）。
【００２３】
また、複数のピペットチップ１００をピペットチップ保管装置１０に配置した場合に、保管部３０における複数の中空筒状の保持部３５同士が、縦連結部３８と横連結部３９とによって、各保持部３５同士を、縦方向及び横方向に、それぞれ十字状に連結されているために、各保持部３５が、保管天井部３１に固定されている。従って、これらに配置する複数のピペットチップ１００同士が、互いに接触せず破損することがない。特にその複数のピペットチップ１００が、ガラス製である場合に、それらの破損を防止することができる。
【００２４】
また、ピペットチップ１００より全体が短い他のピペットチップ１００Ａを配置するためには、保持部３５よりその長さが短い第２保持部３５Ａを有する第２のピペットチップ保管装置１０Ａを使用することができる。具体的には第２の保持部３５Ａに他のピペットチップ１００Ａを配置した場合に、他のピペットチップ１００Ａの後端部１０４Ａの位置を、蓋上部４３に触れないように、第２保持部３５Ａにおける孔部３４から底部３６までの寸法を構成することが好ましい。なお他の構成は、ピペットチップ保管装置１０と同様であるので、同様の符号を付しその説明を省略する（図７、８、９参照）。なお、本実施例のピペットチップ保管装置１０Ａに配置するピペットチップ１００Ａも、ガラス製が好ましい。
【００２５】
次に、第１の実施例におけるピペットチップ保管装置１０において、ピペットチップ１００を複数配置した状態において、ピペット装置２００に、ピペットチップ１００を取り付ける。具体的には、ピペット装置２００には、取り付け部３００が取り外し可能に配置されている。この取り付け部３００は、ゴムまたは柔軟な合成樹脂性で構成され、中空筒状を呈し、取り付け先端部３０１にピペットチップ１００の後端部１０４を差し入れることによって、そのピペットチップ１００を使用者の手に触れることなく、ピペットチップ１００をピペット装置２００に取り付けることができる（図６参照）。なお、本実施例のピペットチップ保管装置１０Ａに配置したピペットチップ１００Ａについても、取り付け先端部３０１にピペットチップ１００Ａの後端部１０４Ａを差し入れることによって、そのピペットチップ１００Ａを使用者の手に触れることなく、ピペットチップ１００Ａをピペット装置２００に取り付けることができる。また、第１の実施例におけるピペットチップ保管装置１０および第２のピペットチップ保管装置１０Ａは、ポリプロピレンまたはポリエチレンで製作することが好ましい。
【符号の説明】
【００２６】
１０  ピペットチップ保管装置
１０Ａ  第２のピペットチップ保管装置
２０  保管装置本体
２１  開口部
２２  壁部
２３  底部
２４  縁部
３０  保管部
３１  保管天井部
３１ａ  上面
３１ｂ  下面
３２ａ  蓋体嵌合部
３３  保管縁部
３４  孔部
３５  保持部
３５Ａ  第２保持部
３６  底部
３７  第２孔部
３８  縦連結部
３９  横連結部
４０  蓋部
４１  蓋開口部
４２  側壁部
４３  蓋上部
４４  蓋縁部
１００  ピペットチップ
１００Ａ  他のピペットチップ
２００  ピペット装置
３００  取り付け部
【図１】
2018079938.tif 000003
【図２】
2018079938.tif 000004
【図３】
2018079938.tif 000005
【図４】
2018079938.tif 000006
【図５】
2018079938.tif 000007
【図６】
2018079938.tif 000008
【図７】
2018079938.tif 000009
【図８】
2018079938.tif 000010
【図９】
2018079938.tif 000011